(57)【要約】【課題】床面に僅かな傾きや段差があった場合に、２本の足を確実かつ安定に床面に支持させて、支柱の傾きや倒れを防止可能にする。【解決手段】足部５にリング溝１６を有するロッド１５を一体に設け、脚部４に前記ロッド１５を回動可能にガイドするロッドガイド孔１１を設け、前記ロッド１５端のリング溝１６に、脚部４のワッシャ挿入溝１３に挿入された割りワッシャを嵌合させる。【選択図】図１
2006334003.tif 000002
【特許請求の範囲】
【請求項１】
物品支持部材を上端部に有する支柱と、該支柱の下端部を支持する３本の脚部と、該脚部のそれぞれを床面に対して２点で支持する足部と、を備える物品支持スタンド又は回転椅子等の安定支持脚部構造であって、
前記足部にはロッドが一体に設けられ、前記脚部には前記ロッドを軸の廻りに回動可能に支持するロッドガイド孔が設けられてなることを特徴とする物品支持スタンド又は回転椅子等の安定支持脚部構造。
【請求項２】
前記ロッドにはリング溝が設けられ、前記脚部には前記リング溝に嵌合されて前記ロッドを抜け止めする割りワッシャが設けられてなることを特徴とする請求項１に記載の物品支持スタンド又は回転椅子等の安定支持脚部構造。
【請求項３】
前記ロッドの外周には軸方向に延びる突条が設けられ、前記脚部には、前記ロッドの回動を所定角度内で許容するように、前記突条をガイドするガイド溝が設けらけれていることを特徴とする請求項１に記載の物品支持スタンド又は回転椅子等の安定支持脚部構造。
【請求項４】
前記足部には、床面に対し足部の高さ調整を可能にするアジャスタ又は自在に移動を可能とするキャスターを設けることが可能であることを特徴とする請求項１に記載の物品支持スタンド又は回転椅子等の安定支持脚部構造。
【発明の詳細な説明】
【技術分野】
【０００１】
本発明は、展示品や商品等の物品の陳列や展示に利用する物品支持スタンド又は回転椅子等の安定支持脚部構造に関する。
【背景技術】
【０００２】
従来から、展示品や商品等の物品の陳列や展示に利用するために、物品支持スタンドが広く利用されている。この物品支持スタンドは、３〜５本の脚部に支持された支柱の上端に、物品支持部を連接した構成を持つ（例えば、特許文献１参照）。３本の脚部で支柱を支持すると、各脚部が床面に対して全て当接し、いわゆる３点支持の安定状態で支柱を支持、設立することができる。しかし、４本又は５本の脚部で支持するときは床面の凹凸などのために３本の脚部又は床面に当接するが他の１〜２本の脚部は当接せず不安定となることがある。
ところが、直立する前記支柱は、高さが高くなるほど重心が上方へ移動して不安定となる。このため、支柱が僅か傾いただけでも、３点支持であるにも拘らず倒れ易くなる。
【０００３】
これに対して、従来から、３本の脚部を各々床面に対してさらに２本の脚で、つまり全体として５本の足で支柱を支持する物品支持スタンドが提案されている。これによれば、支柱がこの支柱を中心とする円上の５点で支持されるため、支柱全体の重心移動が発生しても簡単には倒れ難くなる。
【特許文献１】特表２００３−５１１１３２号公報
【発明の開示】
【発明が解決しようとする課題】
【０００４】
しかしながら、従来の物品支持スタンドにあっては、３本の脚部をさらに２本の足で支える構成であるため、床面に傾きや段差があると、一方の足が床面から浮上した状態になり、結果的にこの足を持つ脚部上の支柱が、床上において支持状態が不安定になるという問題があった。
【０００５】
本発明は前記のような従来の問題点に着目してなされたものであり、床面に僅かな傾きや段差があった場合にも、３本の脚部各々２点の分散支持による合計６点での等分布荷重によって安定的に支柱を支持する脚構造としたことによって、６本の足を確実かつ安定に床面に支持させて、支柱の傾きや倒れを防止でき、物品支持部材による商品等の陳列、展示を安定的に行うことができる物品支持スタンド又は回転椅子等の安定支持脚構造を提供することを目的とする。
【課題を解決するための手段】
【０００６】
前記目的達成のために、本発明にかかる物品支持スタンド又は回転椅子等の安定支持脚部構造は、物品支持部材を上端部に有する支柱と、該支柱の下端部を支持する３本の脚部と、該脚部のそれぞれを床面に対して２点で支持する足部と、を備える物品支持スタンド又は回転椅子等の安定支持脚部構造であって、前記足部にはロッドが一体に設けられ、前記脚部には前記ロッドを軸の廻りに回動可能に支持するロッドガイド孔が設けられてなることを特徴とする。
【０００７】
これにより、各脚部を床面に対して２点で支持する各足部は、その床面の傾きや段差に応じてロッドがロッドガイド孔内において所定角度内で回動し、各足部が床面に対して接触する。
【０００８】
また、本発明にかかる物品支持スタンド又は回転椅子等の安定支持脚部構造は、前記ロッドにリング溝が設けられ、前記脚部には前記リング溝に嵌合されて前記ロッドを抜け止めする割りワッシャが設けられてなることを特徴とする。
【０００９】
これにより、割りワッシャに支持された状態で、ロッドがロッドガイド孔内で、軸方向へ移動することなく円滑に回動可能となる。
【００１０】
また、本発明にかかる物品支持スタンド又は回転椅子等の安定支持脚部構造は、前記ロッドの外周に、軸方向に突条が設けられ、前記脚部には、前記ロッドの回動を所定角度内で許容するように、前記突条をガイドするガイド溝が設けらけれていることを特徴とする。
【００１１】
これにより、ロッドの回動量がガイド溝の所定幅を限度として回動が規制され、従って、床が僅かに傾斜または段付きとなっていても、２本の足を床面に対して安定的に支持させることができる。
【００１２】
また、本発明にかかる物品支持部材は、前記足部に、床面に対し足部の高さ調整を可能にするアジャスタを設けることにより、支柱を垂直に支持させる調整を可能としたことを特徴とする。
【００１３】
これにより、ロッドの回動限界においても、２本の足のいずれかが床面に対して接触しない場合に、アジャスタを操作することにより、両足を床面に接触させることができ、脚部および支柱の支持を確実にすることができる。
【発明の効果】
【００１４】
本発明は、足部にロッドを一体に設け、脚部には前記ロッドを軸の廻りに回動可能に支持するロッドガイド孔を設けた構成とすることにより、脚部を床面に対して２点で支持する各足部を、その床面の傾きや段差に拘わらず、床面に対して接触させることができる。この結果、支柱を床面に対して安定的に支持することができる。
【発明を実施するための最良の形態】
【００１５】
次に、本発明の実施形態による物品支持スタンドを、図面を参照して説明する。
図１は、本発明にかかる物品支持スタンドを一部破断して示す正面図、図２は、その物品支持スタンドの脚部および足部の平面図、図３は、その脚部および足部の一部を破断して示す正面図、図４は、その脚部および足部の底面図、図５は、図３におけるＡ−Ａ線断面図、図６は、図３におけるＢ−Ｂ線断面図である。
【００１６】
この実施形態による物品支持スタンド１は、物品支持部材２と、支柱３と、脚部４と、足部５とを備えている。
これらのうち、物品支持部材２は、支柱３の上端部に取り付けられている。この物品支持部材２は、回転椅子や、例えば商品などの物品を陳列または展示するための台、棚などのほか、例えばフック部材２ａが複数本取り付けられているような陳列具。なお、物品支持部材２は、商品などの陳列または展示を行う用途に用いられるため、前記のようにＴ字状とする以外に、樹技状としたり、リング状としたり図示以外の任意の形状を適宜採用することができる。
【００１７】
また、フック部材２ａは、商品などの物品を吊持状態で陳列または展示するのに有効であるが、このフック部材２ａに代えて、例えば柵板を支承する柵板支持部材としたり、クリップなどの挟持部材としたりすることもできる。いずれにしても、商品などの物品を支持できる、あらゆる所定の形態を採用することができる。
【００１８】
前記物品支持部材２は、例えば金属パイプなどからなり、これが同じく金属パイプからなる支柱３の上端に、溶接などによって固定されている。この支柱３の下端は、図２および図３に示すような３本の脚部４の中心に固定されている。３本の脚部４の中心部は支柱支持部６となっている。
【００１９】
この支柱支持部６には、支柱３の下端が挿入可能な支柱支持孔７と、この支柱支持孔７に連通し、支柱支持部６の下面からボルト８の挿入が可能なボルト孔９とが形成されている。
前記ボルト８は、支柱支持板６の下面からボルト孔９に通されて、支柱支持孔７に挿入された支柱３の下端にねじ込まれている。なお、支柱３の周囲は６角形や円形の筒状の化粧用カバー１０によって被われている。
【００２０】
各脚部４には、端部から支柱支持部６側に向かうロッドガイド孔１１が、図２乃至図４に示すように設けられている。このロッドガイド孔１１は、図５および図６に示すように円形である。また、これらの脚部４には、これの下面に開放するガイド溝１２がロッドガイド孔１１に沿って設けられている。
【００２１】
ロッドガイド孔１１およびガイド溝１２は図示のように連通している。ガイド溝１２の幅はロッドガイド孔１１の径よりも小さく、後述のロッドに設けられた突条が所定量だけ回動可能な寸法および形状を持つ。この形状は、図５に示すように開放端に向かって徐々に拡開するものとなっている。各脚部４には、これの下面から前記ロッドガイド孔１１の基部付近に掛けて所定深さのワッシャ挿入溝１３が形成されている。
【００２２】
足部５は、上から見て略「ハ」の字状をなし、その先端部下面には、各先端部の床面からの高さ調整をするためのアジャスタ１４が取り付けられている。なお、このアジャスタ１４に代えてキャスタを取り付けることも可能である。
【００２３】
足部５には、脚部４との接続側に剛性の高いロッド１５が突設されている。このロッド１５は、前記ロッドガイド孔１１内において摺動自在な外径寸法を有し、先端部付近にはリング溝１６が形成されている。このリング溝１６には、脚部４の下面側からワッシャ挿入溝１３に挿入された割りワッシャ１７が嵌めこまれている。このため、ロッド１５はロッドガイド孔１１内にあって回動可能であるが、軸方向への移動が規制される。
【００２４】
また、前記ロッド１５の外周には長手方向に一本の突条１８が一体に設けられており、この突条１８が脚部４における前記ガイド溝１２内に挿入されている。
脚部４の端面と足部５の端面との間には、これらの間に塵埃などが入り込むのを防止するダストカバー１９が介装されている。これによりロッド１５のロッドガイド孔１１に対する滑りが、塵埃等の付着によって悪化するのを未然に回避することがきる。
【００２５】
次に、前記構成になる物品支持スタンドの機能を説明する。
この物品支持スタンドを、商品の陳列に利用する場合を例にして、説明する。まず、物品支持スタンドを組み立てて、店舗等における床上に設置する。この組み立ては、足部５を前記のような構造に組み付けた脚部４に対し、支柱３を設立することにより簡単に行われる。
【００２６】
すなわち、足部５のロッド１５を、突条１８がガイド溝１２内に案内されるようにして、脚部４のロッドガイド孔１１内に挿し込む。続いて、ワッシャ挿入溝１３に割りワッシャ１７を挿入する。このため、この割りワッシャ１７の内周部分が、ロッド１５端のリング溝１６内に嵌り込む。
【００２７】
このため、ロッド１５はロッドガイド孔１１内において所定範囲内での回動自在であるが、軸方向には移動しない。なお、必要に応じて、割りワッシャ１７のワッシャ挿入孔１３からの抜け止め防止治具、例えば止めピンや止め栓などを、そのワッシャ挿入溝１３に嵌合することもできる。
【００２８】
次に脚部４の支柱支持孔７内に支柱３の下端部を挿入する。脚部４の下面からボルト孔９ないにボルト８を差込、このボルト８を支柱３の下端部に形成されたねじ孔（図示しない）にねじ込む。
これにより、支柱3は、脚部４の支柱支持部６上に真直ぐに設立され、支柱３上端部の物品支持部材２に、フック２ａなどを利用して衣料品などを吊り下げて、陳列、展示することができる。
【００２９】
一方、このようにして組みつけられた物品支持スタンド１は、３本の脚部４および６本の足部５によって床上に支持される。このとき、床面に極端な傾斜や段差があると、いずれかの脚部４において、２本の足部５の一方又は両方が床面から浮上する場合があるので、通常の平面で使用することができる。
【００３０】
本発明の実施形態では、物品支持部材２やこれに支持される商品、支柱３および脚部４の重量が、足部５に作用し、前記浮上しょうとする足部５を強制的に床面に押し付ける。この押し付けにより、足部５は全体的に僅か傾いて、脚部４に対してねじれストレスを与えようとする。
【００３１】
しかし、このストレスは、ロッド１５のロッドガイド１１内における前記回動により吸収される（逃がされる）ため、脚部４および足部５のいずれにも無理なストレスを及ぼすことはない。この結果、２本の足部５はアジャスタ１４を介して床面に等圧で接触することとなる。このような動作は、他の脚部４の２本の足部５についても同様に行われる。
【００３２】
なお、このような動作は、アジャスタ１４を調整して全ての足部５を床面に接触させた後に、例えば物品支持スタンド１の床面上の設置位置を変えたときに、有効に機能する。
このため、前記ロッド１５のロッドガイド孔１１内における回動量は、突条１８が介在される前記ガイド溝１２の小さい幅によって規制される。つまり、ガイド溝１２内において、突条１８が移動しうる範囲でのみ、僅かロッド５が回動可能な構成となっている。
【００３３】
このように、前記実施形態においては、足部５にロッド１５を一体に設け、脚部４にロッド１５を軸の廻りに回動可能に支持するロッドガイド孔１１を設けたことで、脚部４を床面に対して２点で支持する各足部５は、その床面の傾きや段差に拘わらず床面に対して等圧で接触する。
このため物品支持スタンドは、床上に倒れることなく、安定的に設立される。
【産業上の利用可能性】
【００３４】
本発明の物品支持スタンド又は回転椅子等の安定支持脚部構造は、床面に僅かな傾きや段差があった場合に、２本の足を自動的に確実かつ安定に床面に支持させて、支柱の傾きや倒れを防止でき、物品支持部による商品等の陳列、展示を安定的に行うことができるという効果を有し、展示品や商品等の物品の陳列や展示に利用する物品支持スタンド又は回転椅子等の安定支持脚部構造等として有用である。
【図面の簡単な説明】
【００３５】
【図１】本発明の実施の形態による物品支持スタンドを一部破断して示す正面図である。
【図２】本発明における脚部および足部を示す平面図である。
【図３】本発明における脚部および足部付近を一部破断して示す正面図である。
【図４】本発明における脚部および足部を示す底面図である。
【図５】図３のＡ-Ａ線における断面図である。
【図６】図３のＢ−Ｂにおける断面図である。
【符号の説明】
【００３６】
１  物品支持スタンド
２  物品支持部
３  支柱
４  脚部
５  足部
１１  ロッドガイド孔
１２  ガイド溝
１４  アジャスタ
１５  ロッド
１６  リング溝
１７  割りワッシャ
１８  突条
【図１】
2006334003.tif 000003
【図２】
2006334003.tif 000004
【図３】
2006334003.tif 000005
【図４】
2006334003.tif 000006
【図５】
2006334003.tif 000007
【図６】
2006334003.tif 000008